(57)【要約】【課題】貯湯式電気温水器の出湯部材の組み立てを容易にし、組み立て性を向上した貯湯式電気温水器を提供する。【解決手段】貯めた湯を吐出する貯湯式電気温水器であってヒータが設けられた貯湯タンクと、前記貯湯タンクへ水を供給する給水管と、前記貯湯タンクから湯を吐出する出湯管と、前記出湯管に接続される出湯部材と、前記出湯部材が挿入される出湯部材用開口を有し、前記出湯部材が前記出湯管から抜けることを防止する固定部材と、を備え、前記出湯部材が前記出湯管に接続された状態において、通水方向における前記出湯部材の軸は、前記出湯管の通水方向の軸と異なるよう構成され、前記出湯部材は、前記出湯管に挿入された状態である仮固定状態における位置と前記出湯管に接続された固定状態における位置が異なるよう構成されるとともに、前記固定状態にのみ、前記出湯部材用開口に挿入されるよう構成される。【選択図】図１２
2019100670.tif 000002
【特許請求の範囲】
【請求項１】
貯めた湯を吐出する貯湯式電気温水器であって
ヒータが設けられた貯湯タンクと、
前記貯湯タンクへ水を供給する給水管と、
前記貯湯タンクから湯を吐出する出湯管と、
前記出湯管に接続される出湯部材と、
前記出湯部材が挿入される出湯部材用開口を有し、前記出湯部材が前記出湯管から抜けることを防止する固定部材と、を備え、
前記出湯部材が前記出湯管に接続された状態において、通水方向における前記出湯部材の軸は、前記出湯管の通水方向の軸と異なるよう構成され、
前記出湯部材は、前記出湯管に挿入された状態である仮固定状態における位置と前記出湯管に接続された固定状態における位置が異なるよう構成されるとともに、前記固定状態にのみ、前記出湯部材用開口に挿入されるよう構成される
ことを特徴とする貯湯式電気温水器。
【請求項２】
前記出湯部材は、
基部から一方側に延出し前記出湯管に挿入される挿入部と、
前記基部から他方側に延出し湯を吐出する出湯口と、
前記基部から他方側に突出する突起部と、を有し、
前記固定部材は、前記突起部が挿入される突起部用開口を有する
ことを特徴とする請求項１に記載の貯湯式電気温水器。
【請求項３】
前記出湯部材は、一方側に対して垂直方向に延出する凸部を有し、
前記出湯管は、
最下流側の端部の一部が通水方向に切り欠かれた通水方向切欠き部と、
前記通水方向切欠き部と連続し、通水方向に対して垂直方向に切り欠かれた垂直方向切欠き部と、を有し
前記出湯部材は、前記凸部を前記通水方向切欠き部から挿入され、前記出湯部材を回動させることで前記垂直方向切欠き部を前記凸部が移動することで前記出湯管に固定される
ことを特徴とする請求項２に記載の貯湯式電気温水器。
【請求項４】
前記出湯部材は、前記出湯口に接続されるホースを接続するためのネジ山部を有する
ことを特徴とする請求項２または３に記載の貯湯式電気温水器。
【発明の詳細な説明】
【技術分野】
【０００１】
本発明は、貯めた湯を吐出する貯湯式電気温水器に関する。
【背景技術】
【０００２】
手洗い器などに設置された水栓へ適温水を供給するための貯湯式電気温水器として、下記の特許文献１に記載されたものが提案されている。下記特許文献１に記載された貯湯式電気温水器では、給水源から供給される水が一度貯湯タンクに貯留される。貯湯タンクでは、供給された水が電気ヒータで温められ、温められた湯は、出湯口を通り、湯水混合手段で適温に混合された水を水栓から吐水される。
【先行技術文献】
【特許文献】
【０００３】
【特許文献１】特開２００８−５７９２８号公報
【発明の概要】
【発明が解決しようとする課題】
【０００４】
上記特許文献１に記載された貯湯式電気温水器は、出湯部材を上面ケーシングと上面プレートに挟み込み、上面ケーシングに設けられるネジ孔にネジを差し込んで固定するように構成されている。このようにネジを用いて出湯部材を固定しようとする組み立ての作業が煩雑となり組み立て性が低下してしまう。
【０００５】
本発明はこのような課題に鑑みてなされたものであり、その目的は、貯湯式電気温水器の出湯部材の組み立てを容易にし、組み立て性を向上した貯湯式電気温水器を提供することにある。
【課題を解決するための手段】
【０００６】
上記課題を解決するために、本発明に係る貯湯式電気温水器は、貯めた湯を吐出する貯湯式電気温水器であってヒータが設けられた貯湯タンクと、前記貯湯タンクへ水を供給する給水管と、前記貯湯タンクから湯を吐出する出湯管と、前記出湯管に接続される出湯部材と、前記出湯部材が挿入される出湯部材用開口を有し、前記出湯部材が前記出湯管から抜けることを防止する固定部材と、を備え、前記出湯部材が前記出湯管に接続された状態において、通水方向における前記出湯部材の軸は、前記出湯管の通水方向の軸と異なるよう構成され、前記出湯部材は、前記出湯管に挿入された状態である仮固定状態における位置と前記出湯管に接続された固定状態における位置が異なるよう構成されるとともに、前記固定状態にのみ、前記出湯部材用開口に挿入されるよう構成されることを特徴とする。
【０００７】
第一の発明の貯湯式電気温水器は、出湯管の軸と出湯部材の軸をずらし、さらに出湯部材を仮固定状態と固定状態とで位置が異なるように構成するとともに、固定状態にのみ固定部材の出湯部材用開口に挿入されるように構成することで、ネジによって出湯部材を出湯管に接続する必要がなく、組み立て性を向上させることができる。さらに、上記構造とすることで、組み立て時に仮固定状態において固定部材の出湯部材用開口に出湯部材を挿入することができないため、不完全な組み立て状態で組み立て作業が終了されることを抑制できる。
【０００８】
第二の発明の貯湯式電気温水器は、前記出湯部材は、基部から一方側に延出し前記出湯管に挿入される挿入部と、前記基部から他方側に延出し湯を吐出する出湯口と、前記基部から他方側に突出する突起部と、を有し、前記固定部材は、前記突起部が挿入される突起部用開口を有することを特徴とする。
【０００９】
第二の発明の貯湯式電気温水器は、さらに突起部を有することで、不完全な状態で組み立て作業が終了されることをさらに抑制することができる。
【００１０】
第三の発明の貯湯式電気温水器は、前記出湯部材は、一方側に対して垂直方向に延出する凸部を有し、前記出湯管は、最下流側の端部の一部が通水方向に切り欠かれた通水方向切欠き部と、前記通水方向切欠き部と連続し、通水方向に対して垂直方向に切り欠かれた垂直方向切欠き部と、を有し、前記出湯部材は、前記凸部を前記通水方向切欠き部から挿入され、前記出湯部材を回動させることで前記垂直方向切欠き部を前記凸部が移動することで前記出湯管に固定されることを特徴とする。
【００１１】
第三の発明の貯湯式電気温水器は、出湯部材を出湯管に対して回動させるのみで固定することができるため、組み立て時に煩雑な作業がなくなり、組み立て性を向上させることができる。
【００１２】
第四の発明の貯湯式電気温水器は、前記出湯部材は、前記出湯口に接続されるホースを接続するためのネジ山部を有することを特徴とする。
【００１３】
第四の発明の貯湯式電気温水器は、貯湯式電気温水器と水栓を連通させる必要があり、ホースで接続する。貯湯式電気温水器と水栓を連通させる施工時に、出湯口に力が加わるため、ホースの抜け防止を考慮してネジで固定することが好ましい。ホースを回動させてネジ山部と螺合させる際に回転力が発生し、出湯管に対して出湯部材が回転してしまうおそれがあるが、出湯管と出湯部材との軸をずらしているため、出湯部材が回動せずに、固定状態が低下することなく、ホースも強固に出湯口に接続することができる。
【発明の効果】
【００１４】
本発明によれば、貯湯式電気温水器の出湯部材の組み立てを容易にし、組み立て性を向上した貯湯式電気温水器を提供することができる。
【図面の簡単な説明】
【００１５】
【図１】本発明の実施形態にかかる貯湯式電気温水器の概略斜視図である。
【図２】本発明の実施形態にかかる貯湯式電気温水器の概略構成図である。
【図３】本発明の実施形態にかかる貯湯式電気温水器の内部構成図である。
【図４】本発明の実施形態にかかる貯湯式電気温水器の分解斜視図である。
【図５】本発明の実施形態にかかる貯湯式電気温水器の分解正面図である。
【図６】本発明の実施形態にかかる貯湯式電気温水器の出湯部材の斜視図である。
【図７】本発明の実施形態にかかる貯湯式電気温水器の出湯管の斜視図である。
【図８】本発明の実施形態にかかる貯湯式電気温水器の出湯管から出湯部材を取り外した状態の斜視図である。
【図９】本発明の実施形態にかかる貯湯式電気温水器の出湯部材が出湯管に挿入された状態の斜視図と上面図である。
【図１０】本発明の実施形態にかかる貯湯式電気温水器の出湯部材が出湯管に接続完了された状態の斜視図と上面図である。
【図１１】本発明の実施形態にかかる貯湯式電気温水器の出湯管と出湯部材とが接続完了した状態の側面図である。
【図１２】本発明の実施形態にかかる貯湯式電気温水器の出湯部材が固定状態時の固定部材を示す上面図である。
【図１３】本発明の実施形態にかかる貯湯式電気温水器の出湯部材が仮固定状態時の固定部材を示す上面図である。
【発明を実施するための形態】
【００１６】
以下、添付図面を参照しながら本発明の実施の形態について説明する。説明の理解を容易にするため、各図面において同一の構成要素に対しては可能な限り同一の符合を付して、重複する説明は省略する。なお、以下に示す実施の形態によりこの発明が限定されるものではない。
【００１７】
この貯湯式電気温水器について図１を参照しながら説明する。図１は、本発明の実施形態にかかる貯湯式電気温水器１の概略斜視図である。図１に示すように、貯湯式電気温水器１は、電気温水器本体２と、この電気温水器本体を操作するスイッチ部３と、貯湯式電気温水器１の外郭を形成するケース４とを有する。
【００１８】
スイッチ３は、貯湯式電気温水器１の電源の入り切りを行う電源ボタン３a等が設けられる。図示しないが、電源ボタン３aの他に、電気温水器本体２への給水を開始する開始ボタンを設けてもよい。
【００１９】
次に、図２を参照しながら、貯湯式電気温水器１の構成を説明する。図２は、本発明の実施形態にかかる貯湯式電気温水器１の概略構成図である。
【００２０】
図２に示すように、電気温水器本体２の内部には、給水管５、逆止弁部６、減圧弁７、貯湯タンク８、電気式ヒータ９、湯水混合手段１０、出湯管１１、出湯部材１２、空気路１３、吸気操作部１４、排出口１５を有する排出管１６、排出管１６を開閉する開閉弁１７、開閉弁１７を開閉操作する操作部１８および制御部１９がそれぞれ備えている。
【００２１】
図２に示すように、給水管５は、その上流側が水道等の給水源（図示せず）に接続されており、この給水源（図示せず）から給水された水が通水するようになっている。また、図２に示すように、給水管５は、電気温水器本体２内の水が逆流することを防止する逆止弁部６と、逆止弁部６の下流側に給水源から給水された水圧を減圧させる減圧弁７と、減圧弁７とに接続され、減圧弁７の下流側で、湯側通水路２０及び水側通水路２１に分岐するよう構成されている。
湯側通水路２０は、貯湯タンク８に接続されている。また、湯側通水路２０は、貯湯タンク８の上流側で、一方が貯湯タンク８へ、他方が排出管１６へ分岐されている。
水側通水路２１は、湯側通水路２０と分岐した後、水側通水路２１の下流側で貯湯タンク８からの湯と水側通水路２１からの水とを混合する湯水混合手段１０に接続されている。
【００２２】
次に、図２に示すように、貯湯タンク８は、湯側通水路２０から給水された水を貯えるタンクである。
また、図２に示すように、電気式ヒータ９は、貯湯タンク８内に設けられている。この電気式ヒータ９は、貯湯タンク８内の水を電気的に加熱する電気式加熱部として機能するようになっている。
さらに、湯水混合手段１０は、貯湯タンク８の下流側に設けられ、貯湯タンク８からの湯と水側通水路２１からの水とが流入される。水栓（図示せず）が開弁することにより、貯湯タンク８からの湯と水側通水路２１からの水が流入し、流入した湯水を混合したのちに出湯管１１側へ通水するよう構成されている。
また、出湯管１１は、電気温水器本体２の下流側に設けられる水栓（図示せず）とホースで接続するための出湯部材１２が接続される。
【００２３】
次に、図２に示すように、空気路１３は、例えば、電気温水器本体２のメンテナンス時等において貯湯タンク８内の水を抜く際に、吸気操作部１４を操作することで貯湯タンク８への吸気を可能とする。
また、開閉弁１７は、排出管１６の途中に設けられ、開閉弁１７を操作するための操作部１８を操作することにより、排出管１６を介して、排出口１５から貯湯タンク８等の水を排出することができる。
【００２４】
制御部１９は、ケース４内に設けられており、スイッチ部３の操作や、電気温水器本体２の下流側に設けられる水栓（図示せず）からの信号を基に、電気式ヒータ９への通電を制御するよう構成されている。
【００２５】
図３を参照して、貯湯式電気温水器１の内部構造について説明する。図３は、本発明の実施形態にかかる貯湯式電気温水器１の内部構成図である。
【００２６】
図３に示すように、貯湯式電気温水器１は、貯湯タンク８の下方側に排出管１６、排出口１５、操作部１８が配置され、貯湯タンク８の上方側に逆止弁部６、減圧弁７、湯水混合手段１０、出湯管１１、出湯部材１２が配置されている。
【００２７】
電気温水器本体２は、逆止弁部６および、出湯部材１２が出湯管１１から抜けることを防止するための固定部材３０を有する。
固定部材３０は、逆止弁部６とネジによって締結することで固定され、出湯部材１２は、出湯管１１の上方から挿入されたのちに、固定部材３０によって上方から押えられることで固定している。
【００２８】
次に、図４および図５を参照して、貯湯式電気温水器１の逆止弁部６および出湯部材１２固定について説明する。図４は、本発明の実施形態にかかる貯湯式電気温水器１の分解斜視図である。図５は、本発明の実施形態にかかる貯湯式電気温水器１の分解正面図である。
【００２９】
図４および図５に示すように、出湯部材１２は、基部１２０から一方側（出湯管１１側）に延び、出湯管１１に挿入される挿入部１２３と、基部１２０から他方側に延び通水路を形成する出湯口１２１と、出湯口１２１とは異なり、基部１２０から他方側に突出する突起部１２２とを有する。
固定部材３０は、出湯口１２１が挿入される出湯口用開口５０と、突起部１２２が挿入される突起部用開口５１と、逆止弁部６が挿入される逆止弁部用開口５２と、逆止弁部６を固定するための台座５３に設けられる台座ネジ５５が挿入される台座用開口５４とを有する。
【００３０】
出湯部材１２は、出湯管１１に挿入された後に、出湯口１２１は出湯部材用開口５０に挿入され、突起部１２２は突起部用開口５１に挿入される。
逆止弁部６は、台座５３および逆性弁用開口５２に挿入されたのちに給水管５に挿入される。また、逆止弁部６は、逆止弁部６を固定する台座５３と固定部材３０の台座用開口５４とを台座用ネジ５５によって螺合されることで固定される。
【００３１】
次に、図６を参照して、出湯部材１２の構造について説明する。図６は、本発明の実施形態にかかる貯湯式電気温水器１の出湯部材１２の斜視図である。
【００３２】
図６に示すように、出湯部材１２は、基部１２０、出湯口１２１、突起部１２２、挿入部１２３、凸部１２４、ネジ山部１２５を備えている。挿入部１２３は、出湯管１１に挿入される部分であり、基部１２０から一方側（出湯管１１側）に向かって延びるよう構成されている。
【００３３】
出湯口１２１は、基部１２０から他方側に向かって延びるように構成され、ホース（図示せず）と接続するためのネジ山部１２５を有している。
突起部１２２は、基部１２０から他方側に向かって延びるように構成されている。
【００３４】
凸部１２４は、挿入部１２３に設けられ、挿入部１２３が基部１２０から延びる一方側に対して垂直方向に延出するように構成されている。
【００３５】
次に、図７を参照して、出湯管１１の構造について説明する。図７は、本発明の実施形態にかかる貯湯式電気温水器１の出湯管１１の斜視図である。
【００３６】
図７に示すように出湯管１１は、出湯管１１の最下流端に出湯管１１の通水方向に沿うように切り欠かれた通水方向切欠き部１１０と、通水方向切欠き部１１０と連続して、通水方向に対して垂直方向に切り欠かれた垂直方向切欠き部１１１とを有している。
【００３７】
次に、図８から図１１を参照して出湯管１１と出湯部材１２との接続について説明する。図８は、本発明の実施形態にかかる貯湯式電気温水器１の出湯管１１から出湯部材１２を取り外した状態の斜視図である。図９は、本発明の実施形態にかかる貯湯式電気温水器１の出湯部材１２が出湯管１１に挿入された状態の斜視図と上面図である。図１０は、本発明の実施形態にかかる貯湯式電気温水器１の出湯部材１２が出湯管１１に接続完了された状態の斜視図と上面図である。図１１は、本発明の実施形態にかかる貯湯式電気温水器１の出湯管１１と出湯部材１２とが接続完了した状態の側面図である。
【００３８】
図８と図９に示すように、出湯管１１に出湯部材１２を挿入する際は、出湯管１１の通水方向切欠き部１１０と出湯部材１２の凸部１２４との位置が合う状態で出湯部材１２を出湯管１１に挿入する。出湯部材１２を出湯管１１に挿入した状態であれば、上方側に出湯部材１２移動可能であり、この状態が仮固定状態である。
【００３９】
仮固定状態から固定状態とするために図１０に示すように、出湯管１１に対して出湯部材１２を回動させる。より具体的には、通水方向切欠き部１１０と連続して通水方向に対して垂直方向に切り欠かれた垂直方向切欠き部１１１に沿って出湯部材１２の凸部１２４を回転移動させる。垂直方向切欠き部１１１の上方側、下方側は出湯管１１の外郭を形成する部材が存在するため、垂直方向切欠き部１１１に凸部１２４が位置する場合は、出湯部材１１の上下方向の移動を規制できる。このように、出湯管１１に対して出湯部材１２の上下方向の移動を規制できる状態が固定状態である。
【００４０】
出湯部材１２を仮固定状態から固定状態に回転移動させると、図９（ｂ）と図１０（ｂ）に示すように、出湯口１２１および突起部１２２の位置が移動することになる。
仮固定状態と固定状態とで出湯口１２１と突起部１２２とが位置が変わることについて図１１を参照して説明する。
【００４１】
図１１は、出湯管１１と出湯部材１２とが接続された状態の側面図であり、図１１に示すように、出湯管１１の最下流端に対する出湯管１１の軸を出湯管軸Ｌ１とし、出湯部材１２の出湯口１２１の軸を出湯口軸Ｌ２とする。
【００４２】
出湯管１１に出湯部材１２が接続された状態において、出湯管軸Ｌ１と出湯口軸Ｌ２とがずれた位置となるように出湯部材１２を構成する。出湯管軸Ｌ１と出湯口軸Ｌ２とをずれた位置に配置することで、出湯部材１２は仮固定状態から固定状態に移動する際に出湯管軸Ｌ１を中心軸として回転することになるため、仮固定状態と固定状態とで出湯口１２１位置を変えることができる。
同様に突起部１２２を突起部１２２の軸である突起部軸Ｌ３と出湯管軸Ｌ１とずらして配置することで、仮固定状態と固定状態とで突起部１２２の位置を変えることができる。
【００４３】
次に、図１２と図１３を参照して、固定部材３０に対する出湯部材１２の固定状態と仮固定状態について説明する。図１２は本発明の実施形態にかかる貯湯式電気温水器１の出湯部材１２が固定状態時の固定部材３０を示す上面図である。図１３は、本発明の実施形態にかかる貯湯式電気温水器１の出湯部材１２が仮固定状態時の固定部材３０を示す上面図である。
【００４４】
図１２に示すように、出湯部材１２が出湯管１１に対して固定状態にある時は、固定部材３０の出湯部材用開口５０と突起部用開口５１と、出湯部材１２の出湯口１２１と突起部１２２との位置がそれぞれ対応し、出湯口１２１は出湯部材用開口５０に挿入され、突起部１２２は突起部用開口５１に挿入される。
【００４５】
図１３に示すように、出湯部材１２が出湯管１１に対して仮固定状態にある時は、出湯口１２１と出湯部材用開口５０との位置が対応せず、また、突起部１２２と突起部用開口５１との位置も対応せず、出湯口１２１を出湯部材用開口５０に挿入することができない。また突起部１２２も同様に突起部用開口５１に挿入することができない。このように出湯部材１２が出湯管１１に正しく接続されている固定状態にのみ固定部材３０と出湯部材１２の出湯口１２１と突起部１２２を挿入できるようにすることで、出湯部材１２と出湯管１１との接続が不完全な状態で貯湯式電気温水器１が組み立てられることを防止できる。
【００４６】
上述したように、貯湯式電気温水器１は、出湯管１１の出湯管軸Ｌ１と出湯部材１２の出湯口軸Ｌ２をずらし、さらに出湯部材１２を仮固定状態と固定状態とで位置が異なるように構成するとともに、固定状態にのみ固定部材３０の出湯部材用開口５０に挿入されるように構成することで、ネジによって出湯部材１２を出湯管１１に接続する必要がなく、組み立て性を向上させることができる。さらに、上記構造とすることで、組み立て時に仮固定状態において固定部材の出湯部材用開口５０に出湯口１２１を挿入することができないため、不完全な組み立て状態で組み立て作業が終了されることを抑制できる。
【００４７】
また、貯湯式電気温水器１は、さらに突起部１２２を有することで、不完全な状態で組み立て作業が終了されることをさらに抑制することができる。
【００４８】
また、貯湯式電気温水器１は、出湯部材１２を出湯管１１に対して回動させるのみで固定することができるため、組み立て時に煩雑な作業がなくなり、組み立て性を向上させることができる。
【００４９】
貯湯式電気温水器１は、貯湯式電気温水器１と水栓（図示せず）を連通させる必要があり、ホース（図示せず）で接続する。貯湯式電気温水器１と水栓を連通させる施工時に、出湯口１２１に力が加わるため、ホースの抜け防止を考慮してネジで固定することが好ましい。ホースを回動させてネジ山部１２５と螺合させる際に回転力が発生し、出湯管１１に対して出湯部材１２が回転してしまうおそれがあるが、出湯管１２と出湯口１２１との軸をずらしているため、出湯部材１２が回動せずに、固定状態が低下することなく、ホースも強固に出湯口に接続することができる。
【００５０】
なお、本発明の実施の形態として、先止め式の貯湯式電気温水器１の例を挙げて説明したが、貯湯タンク８の上流側に電磁弁等を設ける貯湯式電気温水器１すなわち、元止め式の貯湯式電気温水器１であってもよい。
【００５１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５２】
１  貯湯式電気温水器
２  電気温水器本体
３  スイッチ部
３a  電源ボタン
４  ケース
５  給水管
６  逆止弁部
７  減圧弁
８  貯湯タンク
９  電気式ヒータ
１０  湯水混合手段
１１  出湯管
１２  出湯部材
１３  空気路
１４  吸気操作部
１５  排出口
１６  排出管
１７  開閉弁
１８  操作部
１９  制御部
２０  湯側通水路
２１  水側通水路
３０  固定部材
５０  出湯部材用開口
５１  突起部用開口
５２  逆止弁部用開口
５３  台座
５４  台座用開口
５５  台座用ネジ
１１０  通水方向切欠き部
１１１  垂直方向切欠き部
１２０  基部
１２１  出湯口
１２２  突起部
１２３  挿入部
１２４  凸部
１２５  ネジ山部
Ｌ１  出湯管軸
Ｌ２  出湯口軸
Ｌ３  突起部軸
【図１】
2019100670.tif 000003
【図２】
2019100670.tif 000004
【図３】
2019100670.tif 000005
【図４】
2019100670.tif 000006
【図５】
2019100670.tif 000007
【図６】
2019100670.tif 000008
【図７】
2019100670.tif 000009
【図８】
2019100670.tif 000010
【図９】
2019100670.tif 000011
【図１０】
2019100670.tif 000012
【図１１】
2019100670.tif 000013
【図１２】
2019100670.tif 000014
【図１３】
2019100670.tif 000015